(57)【特許請求の範囲】
【請求項１】
底部に掘削ビットを形成したマンホール管をマンホール管埋設装置で回転駆動することにより埋設用縦穴を掘削しながらマンホール管を地中に埋設するマンホール管埋設工法において、
地面から所定深さの掘削穴を形成した後に、掘削穴の内側表面にコンダクターパイプを埋設し、その後、掘削穴に載置したマンホール管を回転駆動して埋設用縦穴を掘削するとともに、マンホール管とコンダクターパイプとの間隙から掘削した土砂を吸引排除して、マンホール管を地中に埋設し、
前記マンホール管を埋設した後に、マンホール管埋設装置でマンホール管を逆方向に回転駆動するとともに、マンホール管の底部に固化剤を供給することを特徴とするマンホール管埋設工法。
【発明の詳細な説明】
【技術分野】
【０００１】
本発明は、底部に掘削ビットを形成したマンホール管をマンホール管埋設装置で回転駆動することにより埋設用縦穴を掘削しながらマンホール管を地中に埋設するマンホール管埋設工法に関するものである。
【背景技術】
【０００２】
従来より、マンホール管を地中に埋設するには、地面に埋設用縦穴を掘削し、その後、埋設用縦穴にマンホール管を挿入して埋設する工法が行われていた。
【０００３】
しかしながら、上記のマンホール管埋設工法では、埋設用縦穴の掘削作業とマンホール管の埋設作業とが別工程となるために、作業時間が長時間になるなどの欠点があったため、近年では、埋設するマンホール管の底部に掘削ビットを形成しておき、このマンホール管をマンホール管埋設装置で回転駆動し、マンホール管自体で埋設用縦穴を掘削するとともに、埋設用縦穴の掘削と同時にマンホール管を地中に埋設する工法が開発されている。
【０００４】
この新たなマンホール管埋設工法で用いられるマンホール管埋設装置は、マンホール管の外方に回転駆動装置を配置し、回転駆動装置にマンホール管の外周部を接続し、回転駆動装置でマンホール管の外周部を回転駆動することによって、マンホール管の底部に形成した掘削ビットを回転させ、埋設用縦穴の掘削を行うように構成していた（たとえば、特許文献１参照。）。
【０００５】
【特許文献１】特開２００−２４８８５３号公報
【発明の開示】
【発明が解決しようとする課題】
【０００６】
ところが、上記従来のマンホール管埋設工法では、埋設用縦穴の掘削によって排除された土砂がマンホール管の外周に沿って地上に排出されるために、地上に排出される土砂の範囲が規制されておらず、マンホール管の周囲の地表を破損してしまうなどの悪影響を与えてしまうおそれがあった。
【課題を解決するための手段】
【０００７】
そこで、請求項１に係る本発明では、底部に掘削ビットを形成したマンホール管をマンホール管埋設装置で回転駆動することにより埋設用縦穴を掘削しながらマンホール管を地中に埋設するマンホール管埋設工法において、地面から所定深さの掘削穴を形成した後に、掘削穴の内側表面にコンダクターパイプを埋設し、その後、掘削穴に載置したマンホール管を回転駆動して埋設用縦穴を掘削するとともに、マンホール管とコンダクターパイプとの間隙から掘削した土砂を吸引排除して、マンホール管を地中に埋設することにした。
【０００８】
また、前記マンホール管を埋設した後に、マンホール管埋設装置でマンホール管を逆方向に回転駆動するとともに、マンホール管の底部に固化剤を供給することにした。
【発明の効果】
【０００９】
そして、本発明では、以下に記載する効果を奏する。
【００１０】
すなわち、本発明では、地面から所定深さの掘削穴を形成した後に、掘削穴の内側表面にコンダクターパイプを埋設し、マンホール管とコンダクターパイプとの間隙から掘削した土砂を吸引排除するようにしているために、掘削穴がコンダクターパイプで補強されるとともに、掘削によって地上に排出される土砂の範囲がコンダクターパイプで規制されることになり、掘削時にマンホール管の周囲の地表が破損してしまうのを防止することができ、マンホール管埋設工法の安全性を向上させることができる。
【００１１】
特に、マンホール管を埋設した後に、マンホール管埋設装置でマンホール管を逆方向に回転駆動するとともに、マンホール管の底部に固化剤を供給することにした場合には、マンホール管による掘削を停止しながら、マンホール管の底部や外周部に固化剤を円滑に供給することができ、地中にマンホール管を強固に埋設することができる。
【発明を実施するための最良の形態】
【００１２】
以下に、本発明に係るマンホール管埋設装置の具体的な構成について図面を参照しながら説明する。
【００１３】
図１及び図２に示すように、マンホール管埋設装置１は、重機２の先端部に形成した左右一対の支持ブラケット3,3に前後傾動可能に取付けられ、重機２との間に介設した伸縮シリンダ４の進退動作によって前後に傾動するようになっている。
【００１４】
そして、マンホール管埋設装置１は、地中に埋設するマンホール管５の直上方位置に昇降可能に配設した回転駆動装置６によってマンホール管５を回転駆動し、マンホール管５の底部に一体的に形成した掘削ビット７で埋設用縦穴８を掘削すると同時に地中にマンホール管５を埋設するように構成している。
【００１５】
このマンホール管埋設装置１は、図３〜図５に示すように、地上に固定する固定フレーム９に昇降フレーム10を左右一対の昇降用伸縮シリンダ11,11を介して昇降可能に配設するとともに、昇降フレーム10に回転駆動装置６を左右一対の前後２本の昇降用チェーン12,12を介して昇降可能に配設し、この回転駆動装置６の駆動軸13をマンホール管５に形成した回転軸14に接続している（図１及び図２参照。）。
【００１６】
以下に、マンホール管埋設装置１を構成する固定フレーム９、昇降フレーム10、回転駆動装置６の具体的な構造について説明する。
【００１７】
まず、固定フレーム９の構造について説明すると、固定フレーム９は、図３〜図５に示すように、上下に伸延させた左右一対の支持体15,15の前側下端部に前側ブラケット16,16を形成し、各前側ブラケット16の下部にアウトリガー17を昇降可能に螺着するとともに、各前側ブラケット16の上部に昇降用伸縮シリンダ11の基端部を前後回動自在に取付けている。
【００１８】
また、固定フレーム９は、左右の支持体15,15の後側下端部に後側ブラケット18,18を形成し、左右の後側ブラケット18,18を重機２の前端部に形成した支持ブラケット3,3に上下回動自在に取付けている（図１参照。）。
【００１９】
さらに、固定フレーム９は、左右の支持体15,15の後側上部間と後側中途部間に後方に向けて張り出した水平状の上下一対のガードパイプ19,20を跨設するとともに、上下のガードパイプ19,20の間に左右一対の連結パイプ21,21を介設し、下側のガードパイプ20と後側ブラケット18との間に左右一対の連結パイプ22,22を介設し、下側のガードパイプ20の下部中央に連結ブラケット23を取付け、この連結ブラケット23に重機２に上下回動自在に取付けた伸縮シリンダ４の先端部を上下回動自在に取付けている（図１参照。）。
【００２０】
次に、昇降フレーム10の構造について説明すると、昇降フレーム10は、図３〜図５に示すように、上下に伸延させた左右一対の昇降体24,24の前側上端部間に水平状の連結体25を跨設するとともに、連結体25の左右端部に左右一対の連結ブラケット26,26を取付け、各連結ブラケット26に昇降用伸縮シリンダ11の先端部を左右回動自在に取付けている。
【００２１】
また、昇降フレーム10は、左右の昇降体24,24の後側中途部間に後方に向けて張り出した水平状の上下一対のガードパイプ27,28を跨設するとともに、上下のガードパイプ27,28の間に左右一対の連結パイプ29,29を介設している。
【００２２】
さらに、昇降フレーム10は、左右の昇降体24,24の上端部と下端部にそれぞれ軸受30,31を取付け、上下の軸受30,31の間に前後一対の昇降用チェーン12,12を懸架しており、各昇降用チェーン12の始端部と終端部を固定フレーム９の支持体15の上端部にそれぞれ別々に固定している。
【００２３】
次に、回転駆動装置６の構造について説明すると、回転駆動装置６は、図３〜図５に示すように、本体32の左右端部に昇降用チェーン12,12を連結するとともに、本体32の上部に左右一対の駆動モータ33,33を配設し、本体32の下部中央に断面矩形中空状の駆動軸13を下方に向けて突出させている。
【００２４】
また、回転駆動装置６は、本体32の上部に接続パイプ34を形成しており、この接続パイプ34を駆動軸13の中空部に連通連結させている。この接続パイプ34には、後述するように、埋設用縦穴８の掘削時やマンホール管５の固定時に掘削補助剤や固化剤などの液体を供給するための液体供給装置35が接続されるようになっている。
【００２５】
そして、マンホール管埋設装置１は、地上に固定フレーム９をアウトリガー17を用いて固定し、左右の昇降用伸縮シリンダ11,11を進退駆動することによって昇降フレーム10を昇降させ、この昇降フレーム10の昇降動作に連動して昇降用チェーン12,12によって回転駆動装置６を昇降フレーム10に対して昇降させ、さらに、回転駆動装置６の駆動モータ33,33の駆動軸13を回転駆動することによってマンホール管５に形成した回転軸14を回転させ、マンホール管５の底部の掘削ビット７で埋設用縦穴８を掘削するようになっている。
【００２６】
次に、マンホール管５の具体的な構造について説明すると、マンホール管５は、図６に示すように、コンクリート製の円筒状の胴管36の下端部に円板状の底体37を接続している。
【００２７】
このマンホール管５は、底体37の内側（上部）中央に逆止弁38を内蔵した連結用のフランジ39を取付け、フランジ39に中空状の回転軸14を接続しており、回転軸14を回転駆動装置６の駆動軸13に連通連結している。
【００２８】
また、マンホール管５は、底体37の外側（下部）に掘削ビット７を形成するとともに、底体37の中央に内側と外側とを連通する貫通状の吐出孔40を形成しており、これにより、吐出孔40をフランジ39（逆止弁38）や回転軸14や回転駆動装置６の駆動軸13を介して接続パイプ34に連通連結している。
【００２９】
そして、マンホール管５は、埋設用縦穴８の掘削時やマンホール管５の固定時に回転駆動装置６の接続パイプ34に接続した液体供給装置35から掘削補助剤や固化剤などの液体を供給することによって、底体37の吐出孔40から掘削補助剤や固化剤などを地中に供給することができるようになっている。
【００３０】
以上に説明したように、マンホール管埋設装置１は、底部に掘削ビット７を形成したマンホール管５を回転駆動することにより埋設用縦穴８を掘削しながらマンホール管５を地中に埋設するように構成しており、具体的には、マンホール管５の直上方位置に回転駆動装置６を昇降可能に配設するとともに、回転駆動装置６の駆動軸13をマンホール管５の底部内側中央に形成した回転軸14に連動連結した構成となっている。
【００３１】
このように、上記構成のマンホール管埋設装置１では、マンホール管５の直上方位置に回転駆動装置６を昇降可能に配設しているために、マンホール管埋設装置１の小型化を図ることができ、施工時にマンホール管埋設装置１の設置に必要となる面積を減少させることができ、狭所での作業も円滑に行うことができる。
【００３２】
しかも、上記構成のマンホール管埋設装置１では、回転駆動装置６の駆動軸13をマンホール管５の底部内側中央に形成した回転軸14に連動連結しているために、回転駆動装置６でマンホール管５の底部に形成した掘削ビット７を直接的に回転駆動させることができ、掘削時にマンホール管５にねじれが生じるのを防止することができ、掘削時のマンホール管５の破損を防止することができる。
【００３３】
また、上記マンホール管埋設装置１は、回転駆動装置６の駆動軸13とマンホール管５の回転軸14とを中空状に形成するとともに、掘削補助剤や固化剤などの液体を供給するための液体供給装置35とマンホール管５の底部に形成した吐出孔40とを駆動軸13と回転軸14を介して連通連結した構成となっている。
【００３４】
そのため、上記構成のマンホール管埋設装置１では、駆動軸13と回転軸14を掘削補助剤や固化剤などの液体を供給するための供給パイプとして兼用することができ、供給パイプを別個設置する必要がなくなり、施工時の作業性を向上させることができる。
【００３５】
次に、上記構成のマンホール管埋設装置１を用いて地中にマンホール管５を埋設するマンホール管埋設工法について説明する。
【００３６】
マンホール管埋設工法では、まず、図７に示すように、地面から所定深さで埋設するマンホール管５よりも所定長さだけ大きな直径の縦穴状の掘削穴41を形成し、この掘削穴41の内側表面に円筒状のコンダクターパイプ42を嵌入して埋設する。
【００３７】
次に、図８に示すように、掘削穴41のコンダクターパイプ42の内側中央にマンホール管５を載置するとともに、マンホール管埋設装置１を所定位置に設置し、マンホール管埋設装置１の回転駆動装置６の駆動軸13にマンホール管５の回転軸14を接続する。さらに、マンホール管埋設装置１の回転駆動装置６の接続パイプ34に掘削補助剤としての水を貯留した液体タンク43とポンプ44とからなる液体供給装置35を連結パイプ45を介して接続するとともに、掘削穴41のコンダクターパイプ42の内側に設置した吸引パイプ46を吸引ポンプ47に接続する。
【００３８】
そして、マンホール管埋設装置１の昇降用伸縮シリンダ11,11を後退駆動することによって昇降フレーム10を降下させ、この昇降フレーム10の降下動作に連動して昇降用チェーン12,12によって回転駆動装置６を昇降フレーム10に対して降下させ、さらに、回転駆動装置６の駆動モータ33,33の駆動軸13を回転駆動することによってマンホール管５に形成した回転軸14を回転させ、マンホール管５の底部の掘削ビット７で埋設用縦穴８を掘削するとともにマンホール管５を地中に徐々に埋設していく。
【００３９】
このときに、図９に示すように、液体供給装置35から掘削補助剤を供給することによってマンホール管５の吐出孔40から地中に向けて掘削補助剤を吐出し、掘削部の土砂48を泥水化させて掘削ビット７による掘削が円滑に行えるようにするとともに、吸引ポンプ47を駆動することによって掘削で排除した泥水化した土砂48がマンホール管５の外周に沿って掘削穴41のコンダクターパイプ42の内側に排出されるのを吸引パイプ46で吸引排除する。
【００４０】
また、所定深さまで掘削した場合には、マンホール管埋設装置１の昇降用伸縮シリンダ11,11を進出駆動することによって昇降フレーム10を上昇させ、この昇降フレーム10の上昇動作に連動して昇降用チェーン12,12によって回転駆動装置６を昇降フレーム10に対して上昇させ、マンホール管５の胴管36の上部に別の胴管36を連結するとともに、マンホール管５の回転軸14の上部に別の回転軸14を連結し、その後再びマンホール管５で埋設用縦穴８を掘削することで、設定した深さまで埋設用縦穴８を掘削しながらマンホール管５を埋設していく。
【００４１】
その後、図10に示すように、マンホール管埋設装置１の回転駆動装置６の接続パイプ34に固化剤を貯留した液体タンク43とポンプ44とからなる液体供給装置35を連結パイプ45を介して接続し、回転駆動装置６によってマンホール管５を掘削時とは逆方向に回転させるとともに、液体供給装置35から固化剤を供給することによってマンホール管５の吐出孔40から地中に向けて固化剤を吐出し、マンホール管５の底部や外周部の土砂49に固化剤を分散させながら供給する。
【００４２】
最後に、マンホール管埋設装置１の回転駆動装置６の駆動や液体供給装置35の駆動を停止し、マンホール管埋設装置１の回転駆動装置６の駆動軸13とマンホール管５の回転軸14とを切離すとともに、マンホール管５のフランジ39と回転軸14とを切離し、回転軸14を除去し、所定時間放置することで固化剤を硬化させ、地中にマンホール管５を固定する。
【００４３】
以上に説明したように、上記マンホール管埋設工法では、地面から所定深さの掘削穴41を形成した後に、掘削穴41の内側表面にコンダクターパイプ42を埋設し、マンホール管５とコンダクターパイプ42との間隙から掘削した土砂48を吸引排除するようにしているために、掘削穴41がコンダクターパイプ42で補強されるとともに、掘削によって地上に排出される土砂48の範囲がコンダクターパイプ42で規制されることになり、掘削時にマンホール管５の周囲の地表が破損してしまうのを防止することができ、マンホール管埋設工法の安全性を向上させることができる。
【００４４】
また、上記マンホール管埋設工法では、マンホール管５を埋設した後に、マンホール管埋設装置１でマンホール管５を逆方向に回転駆動するとともに、マンホール管５の底部に固化剤を供給するようにしているために、マンホール管５による掘削を停止しながら、マンホール管５の底部や外周部に固化剤を円滑に供給することができ、地中にマンホール管５を強固に埋設することができる。
【図面の簡単な説明】
【００４５】
【図１】マンホール管埋設装置を示す全体側面図。
【図２】同全体正面図。
【図３】同側面図（(a)短縮時、(b)伸張時）。
【図４】同正面図（(a)短縮時、(b)伸張時）。
【図５】同平面図。
【図６】マンホール管を示す側面断面図(a)及び底面図(b)。
【図７】マンホール管埋設工法を示す説明図。
【図８】マンホール管埋設工法を示す説明図。
【図９】マンホール管埋設工法を示す説明図。
【図１０】マンホール管埋設工法を示す説明図。
【符号の説明】
【００４６】
１  マンホール管埋設装置                ２  重機
３  支持ブラケット                      ４  伸縮シリンダ
５  マンホール管                        ６  回転駆動装置
７  掘削ビット                          ８  埋設用縦穴
９  固定フレーム                        10  昇降フレーム
11  昇降用伸縮シリンダ                  12  昇降用チェーン
13  駆動軸                              14  回転軸
15  支持体                              16  前側ブラケット
17  アウトリガー                        18  後側ブラケット
19,20  ガードパイプ                     21,22  連結パイプ
23  連結ブラケット                      24  昇降体
25  連結体                              26  連結ブラケット
27,28  ガードパイプ                     29  連結パイプ
30,31  軸受                             32  本体
33  駆動モータ                          34  接続パイプ
35  液体供給装置                        36  胴管
37  底体                                38  逆止弁
39  フランジ                            40  吐出孔
41  掘削穴                              42  コンダクターパイプ
43  液体タンク                          44  ポンプ
45  連結パイプ                          46  吸引パイプ
47  吸引ポンプ                          48,49  土砂
【図１】
0004901634.tif 000002
【図２】
0004901634.tif 000003
【図３】
0004901634.tif 000004
【図４】
0004901634.tif 000005
【図５】
0004901634.tif 000006
【図６】
0004901634.tif 000007
【図７】
0004901634.tif 000008
【図８】
0004901634.tif 000009
【図９】
0004901634.tif 000010
【図１０】
0004901634.tif 000011